(57)【特許請求の範囲】
【請求項１】
牌反転通路と、牌反転通路（１）に沿って順次設けられている前部牌反転機構と、後部牌反転機構とを備えた凹面付き麻雀牌用の牌反転機構であって、
前記前部牌反転機構は牌反転通路（１）の前端に設けられている前部軌道（２）と、前部軌道（２）内に伸入している選別当接機構と、前部軌道（２）の上方に設けられている前傾牌ストッパ板（４）とからなり、前記前部軌道の幅は麻雀牌の厚みに対応しており、前記選別当接機構の高さおよび前部軌道に伸入する深さは麻雀牌の凹面に対応しており、麻雀牌の非凹面が選別当接機構の側にある場合には、麻雀牌の非凹面が選別当接機構と作用して反転が発生するものであり、前記前傾牌ストッパ板（４）の先端（４１）が選別当接機構の一方の側に位置しており、その高さは麻雀牌の幅よりも高く、しかも麻雀牌がその前端面の対角線が前部軌道の底平面と垂直状態となるよう反転する前に、前記前傾牌ストッパ板は常に麻雀牌の前端面上で前傾牌ストッパ板寄りの側辺に当接可能となっており、
前記後部牌反転機構は牌反転通路（１）の後端に設けられ前部軌道に接続されている後部軌道（５）と、後部軌道の上方に設けられている後傾牌ストッパ板（６）とからなり、麻雀牌がその前端面の対角線が後部軌道の底平面と垂直状態となるよう反転する前に、前記後傾牌ストッパ板は常に麻雀牌の前端面上で後傾牌ストッパ板寄りの側辺に当接可能となっているとともに、後傾牌ストッパ板の最も低い箇所は前部牌反転機構が反転済みの麻雀牌の通過を阻害しない、ことを特徴とする凹面付き麻雀牌用の牌反転機構。
【請求項２】
前記牌反転通路の幅が麻雀牌における前端面の対角線の長さ以上である、ことを特徴とする請求項１に記載の凹面付き麻雀牌用の牌反転機構。
【請求項３】
前記選別当接機構は水平に設けられ、選別当接機構から前部軌道の底平面までの高さが麻雀牌の幅の０.４〜０.６倍である、ことを特徴とする請求項１に記載の凹面付き麻雀牌用の牌反転機構。
【請求項４】
前記前部軌道（２）にて選別当接機構から離れた側のサイドレール一（２２）は一端が固定されており、サイドレールの本体部分を左右にずれた弾性軌道とすることができる、ことを特徴とする請求項１に記載の凹面付き麻雀牌用の牌反転機構。
【請求項５】
前記前部軌道（２）にて選別当接機構から離れた側のサイドレール一（２２）は全体が牌反転通路の側壁または底壁に固定される、ことを特徴とする請求項１に記載の凹面付き麻雀牌用の牌反転機構。
【請求項６】
前記サイドレール一（２２）は前傾牌ストッパ板（４）またはその延長線と交差しない、ことを特徴とする請求項４に記載の凹面付き麻雀牌用の牌反転機構。
【請求項７】
前記サイドレール一（２２）の後端には案内スロープ（２３）が設けられている、ことを特徴とする請求項４に記載の凹面付き麻雀牌用の牌反転機構。
【請求項８】
前記選別当接機構が前部軌道（２）内に伸入する選別ストッパ板（３２）または選別ストッパバーであり、選別ストッパ板または選別ストッパバーが前部軌道内に伸入する深さは前から後に向かって徐々に深くなっている、ことを特徴とする請求項１ないし７のいずれか一項に記載の凹面付き麻雀牌用の牌反転機構。
【請求項９】
前記選別当接機構が前部軌道（２）外側部に転設されている選別ローラ（３１）または選別ボールであって、前記選別ローラ（３１）または選別ボールは一部が前部軌道（２）内に伸入している、ことを特徴とする請求項１ないし７のいずれか一項に記載の凹面付き麻雀牌用の牌反転機構。
【請求項１０】
前記後部軌道（５）は選別当接機構に近接する側が牌反転通路に伸入する規制傾斜バー（５１）と、後傾牌ストッパ板（６）とを備えており、前記規制傾斜バー（５１）の前端は前部軌道のサイドレール二（２１）に連結されており、規制傾斜バー（５１）の後端は牌排出案内レール一（７１）に連結されており、牌反転通路内（１）にて規制傾斜バー（５１）の後端に対向する他方の側には牌排出案内レール二（７２）が設けられている、ことを特徴とする請求項８または９のいずれか一項に記載の凹面付き麻雀牌用の牌反転機構。
【請求項１１】
前記牌排出案内レール二（７２）が牌反転通路の側壁となっている、ことを特徴とする請求項１０に記載の凹面付き麻雀牌用の牌反転機構。
【請求項１２】
牌反転通路の末端両側に、牌排出レールに連結される二本の絞り案内レール（９）がさらに対称に設けられている、ことを特徴とする請求項１１に記載の凹面付き麻雀牌用の牌反転機構。
【請求項１３】
前記後部軌道（５）は選別当接機構の側に設けられているサイドレール二（２１）と、後傾牌ストッパ板（６）とからなる、ことを特徴とする請求項１ないし７のいずれか一項に記載の凹面付き麻雀牌用の牌反転機構
【請求項１４】
前記前傾牌ストッパ板（４）は水平に設けられており、前記後傾牌ストッパ板（６）は水平に設けられており、後傾牌ストッパ板の高さは麻雀牌の幅よりも低く、しかも麻雀牌の厚みよりも高い、ことを特徴とする請求項１０に記載の凹面付き麻雀牌用の牌反転機構。
【請求項１５】
前記牌反転通路（１）内には左右二本の直線レール（８）が設けられており、直線レールの前段が前部軌道を構成し、直線レールの後段が後部軌道を構成している、ことを特徴とする請求項１ないし３のいずれか一項に記載の凹面付き麻雀牌用の牌反転機構。
【請求項１６】
前記後部牌反転機構は後部軌道内に伸入する選別当接機構をさらに備え、前記選別当接機構は高さが、前部反転機構が反転済みの麻雀牌が通過するのを阻害しないように設置されていることを特徴とする請求項１に記載の凹面付き麻雀牌用の牌反転機構。
【発明の詳細な説明】
【技術分野】
【０００１】
本発明は自動麻雀卓であって、具体的には自動麻雀卓の牌反転機構に関する。
【背景技術】
【０００２】
従来の自動麻雀卓の牌反転機構は多種多様であるが、主にマグネット式およびマグネット・レス式の二種類のタイプに分けられ、マグネット式では磁性を備えた麻雀牌を採用するものであって、そして麻雀卓内の洗牌室は環状周壁とその内部に配置されているターンテーブルとから構成されており、ターンテーブルは環状周壁に対して軸線が傾斜して設けられており、そしてターンテーブルの下方には牌反転磁石が設けられ、そしてターンテーブルの最高点以上の位置には牌吸着磁石が設けられている。麻雀牌が洗牌室に押し落とされた後、麻雀牌はターンテーブルとともに転動し、牌反転磁石により牌の姿勢を調節し、つまり磁性識別と反転を行って、規則的に姿勢が整列された麻雀牌が最低点から最高点の位置にまで転動したとき、牌吸着磁石は異極吸着の原理により麻雀牌を上向きに吸着するとともに、磁石の回転により麻雀牌を牌排出口にまで送る。
【発明の概要】
【発明が解決しようとする課題】
【０００３】
ところで、その欠点としては、洗牌運動過程が長く、騒音が大きく、しかも各々の麻雀牌の内部に永久磁石を取付けることから、普通の麻雀牌と比べて、その製造技術および構造はより複雑となり、材料についても要求が特殊となり、麻雀牌のコストが大幅に嵩み、そのうえ近年の磁性材料価格の急騰に伴って、永久磁石を採用した麻雀牌のコストが更に嵩むということが挙げられる。
【０００４】
従来技術には麻雀牌上の磁性体を金属板に交換するという改善、いわゆるマグネット・レス式麻雀牌というものもあるものの、麻雀卓上では尚も磁性作用により牌を反転しているので、本質的にはマグネット式の範疇に含まれ、麻雀牌および牌反転機構の設計においてはやはり前記した数多くの不足がある。まさしく上記した業界の現状により、業者では牌反転機構の研究・開発の方向性の多くをマグネット・レス式のタイプに転向しているが、正真正銘のマグネット・レス式の牌反転機構は未だ成功した応用はない。
【０００５】
本発明が解決する技術的課題は、構造が簡単で、設計に優れ、故障率が低く、寿命が長く、麻雀牌の製作材料に制限がなく、コストが低いという長所を備えた、文字面が凹面形状である麻雀牌用の牌反転機構を提供するというものである。
【課題を解決するための手段】
【０００６】
上記した技術的課題を解決するために、本発明では以下のような技術的思想を採用している。牌反転通路と、牌反転通路に沿って順次設けられている前部牌反転機構と、後部牌反転機構とを備えた凹面付き麻雀牌用の牌反転機構である。
【０００７】
前記前部牌反転機構は牌反転通路の前端に設けられている前部軌道と、前部軌道内に伸入している選別当接機構と、前部軌道の上方に設けられている前傾牌ストッパ板とからなり、前記選別当接機構の幅は麻雀牌の厚みに対応しており、前記選別当接機構の高さおよび前部軌道内に伸入する深さは麻雀牌の凹面に対応しており、麻雀牌の非凹面が選別当接機構の側にある場合には、麻雀牌の非凹面が選別当接機構と作用して反転が発生するものであり、前記前傾牌ストッパ板の先端が選別当接機構の一方の側に位置しており、その高さは麻雀牌の幅よりも高く、しかも麻雀牌がその前端面の対角線が前部軌道の底平面と垂直状態となるよう反転する前に、前記前傾牌ストッパ板は常に麻雀牌の前端面上で前傾牌ストッパ板寄りの側辺に当接可能となっている。
【０００８】
前記後部牌反転機構は牌反転通路の後端に設けられ前部軌道に接続されている後部軌道と、後部軌道の上方に設けられている後傾牌ストッパ板とからなり、麻雀牌がその前端面の対角線が後部軌道の底平面と垂直状態となるよう反転する前に、前記後部後傾牌ストッパ板は常に麻雀牌の前端面上で後傾牌ストッパ板寄りの側辺に当接可能となっているとともに、後傾牌ストッパ板の最も低い箇所は前部牌反転機構が反転済みの麻雀牌の通過を阻害しない。
【０００９】
好ましくは、前記牌反転通路の幅は麻雀牌における前端面の対角線の長さ以上である。
【００１０】
好ましくは、前記選別当接機構は水平に設けられ、選別当接機構から前部軌道の底平面まで高さが麻雀牌の幅の０.４〜０.６倍である。対応する選別当接機構が前部軌道内に伸入する深さは麻雀牌の０.４〜０.６倍幅箇所にて凹面の深さよりも概ね浅いのが好ましい。
【００１１】
好ましくは、前記前部軌道にて選別当接機構から離れた側のサイドレール一は一端が固定された形式であって、好ましくは前端が固定されるものであることで、サイドレールの本体部分を左右にずれた弾性軌道とすることができる。これにより麻雀牌の反転および麻雀牌の反転過程における安定性にとって有利となる。サイドレール一の端部は牌反転通路の側壁に固定し、牌反転通路にて底壁を有するものは底壁に固定できる。
【００１２】
好ましくは、前記前部軌道にて選別当接機構から離れた側のサイドレール一には全体が固定される形式を採用してもよい。その軌道の幅および高さは麻雀牌をスムーズに反転させることが可能であることを基準として設定される。同じく、サイドレール一は牌反転通路の側壁に固定し、牌反転通路にて底壁を有するものは底壁に固定できる。
【００１３】
さらに、前記サイドレール一は前傾牌ストッパ板またはその延長線と交差しない。
【００１４】
さらに、前記サイドレール一の後端には、麻雀牌が右側レールから離れるときの騒音を減らし、麻雀牌の損傷も減らすことができる案内スロープが設けられている。
【００１５】
好ましくは、前記選別当接機構は前部軌道内に伸入する選別ストッパ板であり、選別ストッパ板が前部軌道内に伸入する深さは前から後に向かって徐々に深くなっている。
【００１６】
さらに好ましくは、前記選別当接機構は前部軌道外側部に転設されている選別ローラであって、前記選別ローラは一部が前部軌道内に伸入している。これにより麻雀牌の非凹面が選別当接機構の側にある場合には、麻雀牌の非凹面が選別ローラに転接して回転が発生するが、回転抵抗はより小さくなり、麻雀牌の損傷はより少なくなり、騒音はより低くなる。
【００１７】
好ましくは、前記後部軌道は選別当接機構に近接する側が牌反転通路に伸入する規制傾斜バーと、後傾牌ストッパ板とを備えており、前記規制傾斜バーの前端は前部軌道のサイドレール二に連結されており、規制傾斜バーの後端は牌排出案内レール一に連結されており、牌反転通路内にて規制傾斜バーの後端に対向する他方の側には牌排出案内レール二が設けられている。
【００１８】
好ましくは、前記牌排出案内レール二が牌反転通路の側壁となっている。
【００１９】
好ましくは、前記後部軌道は選別当接機構の側に設けられているサイドレール二と、後傾牌ストッパ板とからなり、即ち後部軌道にはサイドレール一を設けずに、同時に後傾牌ストッパ板を後部軌道のサイドレール一として使用する。これにより麻雀牌の反転および搬送をしやすくしている。
【００２０】
好ましくは、前記牌反転通路内には左右二本の直線レールが設けられており、直線レールの前段が前部軌道を構成し、直線レールの後段が後部軌道を構成している。直線レールの幅および高さは麻雀牌をスムーズに反転させることが可能であることを基準として設定される。
【００２１】
前記前傾牌ストッパ板は水平に設けられており、前記後傾牌ストッパ板は水平に設けられており、後傾牌ストッパ板の高さは麻雀牌の幅よりも低く、しかも麻雀牌の厚みに後部軌道のサイドレール一を加えた高さよりも高い。
【発明の効果】
【００２２】
本発明は前部牌反転機構の選別当接機構により円弧面が選別当接機構の側を向いた麻雀牌が前部牌反転機構を通過した後に後部牌反転機構により反転されて、その一方で円弧面の裏面が選別当接機構の側を向いている麻雀牌は選別当接機構によりストップされ、選別当接機構および前傾牌ストッパ板との共同作用により牌の反転が実現されるものであって、麻雀牌の凹面構造を巧みに利用することで、麻雀牌には磁性体または金属片を嵌設する必要はなくなり、麻雀卓内の牌反転機構でも従来のマグネット式牌反転機構の設計理念から完全に脱却でき、そして構造が簡単で、設計に優れ、故障率が低く、寿命が長く、麻雀牌の製作材料に制限がなく、コストが低いという長所を備えている。
【図面の簡単な説明】
【００２３】
【図１】本発明における凹面が設けられた麻雀牌の構造概略図。
【図２】麻雀牌の後端面の図面。
【図３】本発明の実施例一の構造概略図。
【図４】図３の平面図。
【図５】本発明の実施例二の構造概略図。
【図６】本発明の実施例三の構造概略図。
【図７】本発明の牌反転機構と麻雀牌との対応概略図。
【図８】前部牌反転機構と麻雀牌との作用原理図（一）。
【図９】前部牌反転機構と麻雀牌との作用原理図（二）
【図１０】後部牌反転機構と麻雀牌との作用原理図。
【発明を実施するための形態】
【００２４】
図１および図２に示すように、本発明のために適用される凹面付き麻雀牌０１は、文字面が凹面０２となっており、凹面に対向する他方の面、つまり裏面０３が、平面または突出した円弧状面とすることができるが、本発明で言うところの麻雀牌の厚みは牌の文字面が水平に置かれたとき、この水平面から麻雀牌裏面の最も高い点までの距離のことである。
【００２５】
本発明にて矢印で示すものは麻雀牌の前進方向である。
【００２６】
図３および図４に示すように、本発明は凹面付き麻雀牌に適用される牌反転機構の実施例一であって、この実施例では、牌反転通路１と、牌反転通路に沿って順次設けられている前部牌反転機構と、後部牌反転機構とを備えており、前記前部牌反転機構は牌反転通路の前端に設けられている前部軌道２と、前部軌道２内に伸入している選別当接機構（図３中の選別ローラ３１または図５中の選別ストッパ板３２）と、前部軌道の上方に設けられている前傾牌ストッパ板４とからなり、前部軌道２は前方の送牌軌道に接続されており、もし送牌軌道が幅広である場合、前部軌道の開口部に案内開口２０を設けることができる。前記前部軌道２の幅は麻雀牌の厚みに対応しており、前記選別当接機構の高さおよび前部軌道２に伸入する深さは麻雀牌０１の凹面０２に対応しており、つまり選別当接機構の高さおよび前部軌道２に伸入する深さは、麻雀牌の凹面０２が選別当接機構の一方の側にあるとき選別当接機構が麻雀牌の凹面０２空間内に位置するものを基準としており（図８を参照）、麻雀牌の非凹面０３が選別当接機構の側にある場合には、麻雀牌の非凹面０３が選別当接機構と作用して反転が発生するものであり（図９を参照）、前記前傾牌ストッパ板４の先端４１が選別当接機構の一方の側に位置しており、その高さは麻雀牌の幅よりも高く、しかも麻雀牌がその前端面（図７中の０５で示す面）の対角線が前部軌道の底平面と垂直状態となるよう反転する前に（図３の実施例に対して、図１中の０４は麻雀牌の後端面であり、上記した前端面の対角線は図１中の０５と平行となる）、前記前傾牌ストッパ板４は常に麻雀牌０１の前端面上で前傾牌ストッパ板寄りの側辺に当接可能となっている。前記後部牌反転機構は牌反転通路１の後端に設けられ前部軌道に接続されている後部軌道５と、後部軌道５の上方に設けられている後傾牌ストッパ板６とからなり、麻雀牌がその前端面の対角線が後部軌道の底平面と垂直状態となるよう反転する前に、前記後部後傾牌ストッパ板６は常に麻雀牌の前端面上で後傾牌ストッパ板寄りの側辺に当接可能となっているとともに、後傾牌ストッパ板の最も低い箇所は前部牌反転機構が反転済みの麻雀牌の通過を阻害しない、つまり後傾牌ストッパ板の最も低い箇所は軌道底面との間に反転状態にある麻雀牌を通過させるに十分な高さを有しており、そして反転状態の麻雀牌は軌道の設置状況に応じて完全に水平となる状態、または一方の側が一方の軌道に寄りかかった傾斜状態となる。
【００２７】
本実施例における前記牌反転通路の幅は麻雀牌における前端面の対角線の長さ以上であって、もし麻雀牌を完全に平らとなるよう反転させない場合、牌反転通路の幅は麻雀牌における前端面の対角線の長さよりも概ね狭くしてもよい。本実施例における前傾牌ストッパ板４および後傾牌ストッパ板６はいずれも水平に設けられており、後傾牌ストッパ板６の高さは麻雀牌の高さよりも低く且つ麻雀牌の厚みよりも高く、通常は前傾牌ストッパ板および後傾牌ストッパ板は前部軌道２および後部軌道５の上方に跨がる構造となっている。当然のこと、前傾牌ストッパ板および後傾牌ストッパ板は一端を高くし一端を低くする形式に設けてもよく、その設計では麻雀牌が前進するときに麻雀牌に作用して麻雀牌がスムーズに反転するのを保証することが可能であることを原則とする。
【００２８】
図３および図４に示す選別当接機構は前部軌道外側部に転設されている選別ローラ３１であって、前記選別ローラ３１は一部が前部軌道２内に伸入している。
【００２９】
上記実施例における選別当接機構は図５の形式、つまり選別当接機構は前部軌道内に伸入する選別ストッパ板３２を採用してもよく、そして選別ストッパ板３２が前部軌道２内に伸入する深さは前から後に向かって徐々に深くなっている。上記選別当接機構における二つの実施構造は、例えば選別ストッパ板を選別ストッパバーに変更、選別ローラを選別ボールなどの各種形式に変更するという具合に、各種簡易な変形を行うことが可能である。
【００３０】
上記二種類の選別当接機構は水平の構造形式として設けることができるものであって、選別当接機構から前部軌道の底平面までの高さは麻雀牌の幅の０.４〜０.６倍で、対応する選別当接機構が前部軌道内に伸入する深さは麻雀牌の０.４〜０.６倍幅箇所にて凹面の深さよりも概ね浅いのが好ましい。
【００３１】
図３のように、実施例一における前部軌道２は牌反転通路の左側のサイドレール二２１と、選別当接機構から離れた側のサイドレール一２２とからなるものであって、本実施例におけるサイドレール一２２は前端が固定され、サイドレール一の本体部分は左右にずれた弾性軌道とすることができる。サイドレール一は牌反転通路の側壁に固定し、牌反転通路にて底壁を有するものは底壁に固定できる。前記サイドレール一２２は前傾牌ストッパ板４またはその延長線と交差することはなく、サイドレール一の後端には、麻雀牌が右側レールから離れるときの騒音を減らし、麻雀牌の損傷も減らすことができる案内スロープ２３が設けられている。
【００３２】
上記前部軌道にて選別当接機構から離れた側のサイドレール一には全体が固定される形式を採用してもよい。その軌道の幅および高さは麻雀牌をスムーズに反転させることが可能であることを基準として設定される。
【００３３】
図３のように、実施例一における前記後部軌道５は選別当接機構に近接する側が牌反転通路１に伸入する規制傾斜バー５１と、後傾牌ストッパ板６とを備えており、前記規制傾斜バー５１の前端は前部軌道のサイドレール二２１に連結されており、規制傾斜バー５１の後端は牌排出案内レール一７１に連結されており、牌反転通路内にて規制傾斜バー５１の後端に対向する他方の側には牌排出案内レール二７２が設けられており、前記牌排出案内レール二は牌反転通路の側壁となっている。本実施例における前記後傾牌ストッパ板は水平に設けられており、その最も高い箇所は麻雀牌の幅よりも低く、しかも最も低い箇所は麻雀牌の厚みよりも高い。
【００３４】
本発明の後部軌道５はさらに図５の実施構造三、つまり後部軌道５は選別当接機構の側に設けられているサイドレール二２１と、後傾牌ストッパ板６とからなる、即ち後部軌道には規制傾斜バー５１が設けられていないものを採用してもよい。本発明の後部牌反転機構は前部牌反転機構の選別当接機構を借用、つまり前記後部牌反転機構の実施例中に選別当接機構を増設してもよく、選別当接機構の高さを前部牌反転機構が反転済みの麻雀牌が通過するのを阻害しないように設置すればよい。
【００３５】
図６のように、図３、図５中に示す非連続的なサイドレール一とは異なる形式であり、前記牌反転通路内には左右二本の直線レール８が設けられており、直線レールの前段が前部軌道を構成し、直線レールの後段が後部軌道を構成している。直線レールの幅および高さは麻雀牌をスムーズに反転させることが可能であることを基準として設定される。図６の実施例構造を採用する場合、牌反転通路の末端両側に、牌排出レールに連結される二本の絞り案内レール９を対称に設けて、直線レール両側の麻雀牌を牌排出レールに徐々に案内するようにしてもよい。図６に実施例構造を採用する場合、牌反転通路の末端両側に、牌排出レールに連結される二本の絞り案内レール９を対称に設けて、前部牌反転機構および後部牌反転機構が反転済みの麻雀牌を牌排出レール８０に徐々に導入するようにしてもよい。
【００３６】
図７ないし図１０のように、本発明は前部牌反転機構の選別当接機構により円弧面が選別当接機構の側を向いた麻雀牌が前部牌反転機構を通過し、その後後部牌反転機構により反転されて、その一方で円弧面の裏面が選別当接機構の側を向いている麻雀牌は選別当接機構に達したときに選別当接機構によりストップされ、選別当接機構および前傾牌ストッパ板との共同作用により牌の反転が実現されるものであって、麻雀牌の凹面構造を巧みに利用することで、麻雀牌には磁性体または金属片を嵌設する必要はなくなり、麻雀卓内の牌反転機構でも従来のマグネット式牌反転機構の設計理念から完全に脱却できる。本発明の麻雀牌は従来の各種送給機構で前進させることができる。本発明の牌反転機構はマグネット式麻雀牌またはマグネット式麻雀牌反転機構に合せて使用するのにも適している。
【００３７】
以上は本発明の具体的な実施例に過ぎず、本発明の技術的特徴はこれに限定されることなく、当業者が本発明の範囲内で行う変化または付加はいずれも本発明の特許範囲に含まれるものである。
【符号の説明】
【００３８】
０１ 麻雀牌
０２ 凹面
０３ 非凹面
１ 牌反転通路
２ 前部軌道
４ 前傾牌ストッパ板
５ 後部軌道
６ 後傾牌ストッパ板
８ 直線レール
９ 絞り案内レール
２０ 案内開口
２１ サイドレール二
２２ サイドレール一
２３ 案内スロープ
３１ 選別ローラ
３２ 選別ストッパ板
４１ 先端
５１ 規制傾斜バー
７１ 牌排出案内レール一
７２ 牌排出案内レール二
８０ 牌排出レール
【図１】
0005582443.tif 000002
【図２】
0005582443.tif 000003
【図３】
0005582443.tif 000004
【図４】
0005582443.tif 000005
【図５】
0005582443.tif 000006
【図６】
0005582443.tif 000007
【図７】
0005582443.tif 000008
【図８】
0005582443.tif 000009
【図９】
0005582443.tif 000010
【図１０】
0005582443.tif 000011